(57)【特許請求の範囲】
【請求項１】
全血から、全血基準値より５．８〜７．６倍高まった血小板豊富血漿（ＰＲＰ：Platel
et rich plasma）を分離するステップと、
前記血小板豊富血漿（ＰＲＰ）と塩化カルシウム溶液とを混合して前記血小板豊富血漿を
不溶性に転換するステップと、
次に、前記塩化カルシウム溶液が混合された血小板豊富血漿（ＰＲＰ）を第１型コラーゲ
ンと混合して血小板の凝集を誘導するステップと、
を含み、
前記血小板豊富血漿（ＰＲＰ）と塩化カルシウム溶液とを混合するステップは、
全血から血小板豊富血漿（ＰＲＰ）を分離する工程を通じて採取された１ｍＬの血小板豊
富血漿（ＰＲＰ）を分岐コネクタを用いて０．３０〜０．５５ｍｇ／ｍＬ濃度の塩化カル
シウム溶液と１回混合することを特徴とする、
血小板豊富血漿（ＰＲＰ）をトロンビンを使用しないで活性化して組織再生を誘導する組
成物の製造方法。
【請求項２】
前記全血から血小板豊富血漿（ＰＲＰ）を分離するステップは、
動物又は患者から１０ｍｌの全血を３．２％クエン酸ナトリウム（Sodium citrate）が含
まれた真空試験管で採取した後、１，７５０〜１，９００Ｇで、３〜５分間、１次遠心分
離するステップと、
前記遠心分離により軟膜（Buffy coat）を含んだ上層液（血漿層）を収集するステップと
、
以後、収集された前記軟膜（Buffy coat）を含んだ上層液（血漿層）をブラントニードル
（Blunt needle）を用いて新たな真空試験管に移した後、４，５００〜５，０００Ｇで、
４〜６分間、２次遠心分離するステップと、
次に、底層（試験管の底から約１ｍＬに該当）の濃縮された血小板豊富血漿（ＰＲＰ）を
ブラントニードル（Blunt needle）を用いて採取するステップと、
からなることを特徴とする、請求項１に記載の血小板豊富血漿（ＰＲＰ）をトロンビンを
使用しないで活性化して組織再生を誘導する組成物の製造方法。
【請求項３】
前記塩化カルシウム溶液が混合された血小板豊富血漿（ＰＲＰ）を第１型コラーゲンと
混合するステップは、
前記第１型コラーゲンを室温に放置するステップと、
以後、塩化カルシウム溶液が混合された血小板豊富血漿（ＰＲＰ）と不透明性状の２０〜
５０ｍｇ／ｍＬ濃度の第１型コラーゲンを分岐コネクタで連結して４回混合するステップ
と、
次に、血小板豊富血漿（ＰＲＰ）と第１型コラーゲン混合物を骨欠損治療又は傷治癒（wo
und healing）のために、組織再生が要求される全ての部位に注入するために注射器に充
填するステップと、
を含むことを特徴とする、請求項１に記載の血小板豊富血漿（ＰＲＰ）をトロンビンを使
用しないで活性化して組織再生を誘導する組成物の製造方法。
【請求項４】
前記第１型コラーゲンは、２０〜５０ｍｇ／ｍＬ濃度で混合することを特徴とする、請
求項１に記載の血小板豊富血漿（ＰＲＰ）をトロンビンを使用しないで活性化して組織再
生を誘導する組成物の製造方法。
【請求項５】
前記第１型コラーゲンは、室温に、１５〜３０分間放置して混合することを特徴とする
、請求項１に記載の血小板豊富血漿（ＰＲＰ）をトロンビンを使用しないで活性化して組
織再生を誘導する組成物の製造方法。
【発明の詳細な説明】
【技術分野】
【０００１】
本発明は、塩化カルシウム溶液と第１型コラーゲンで血小板豊富血漿（ＰＲＰ）を活性化
して組織再生を誘導する組成物及びその製造方法に関し、より詳しくは、トロンビンを使
用しないで、骨欠損治療又は傷治癒（wound healing）のために、組織再生が求められる
全ての部位に移植できる血小板豊富血漿（ＰＲＰ）ゲル（gel）を作って病変部位に移植
できるようにしたものである。
この発明は、結果的に血小板豊富血漿（ＰＲＰ）を活性化させて血小板豊富血漿（ＰＲＰ
）ゲル（gel）から組織再生に有用な成長因子（growth factor）を誘導することで、簡便
で、かつ速く組織再生をなすことに効果的であるようにしたものであり、これによって、
血小板豊富血漿（ＰＲＰ）を病変に適用する方法の信頼性を大幅向上させて、患者が満足
することができるようにした非常に有用な発明である。
【背景技術】
【０００２】
周知のように、血小板豊富血漿（ＰＲＰ）は全血から密度勾配遠心分離を通じて分離した
自己由来の物質であり、少量の血漿に多量の血小板が濃縮されており、白血球が高濃度で
含まれた非活性物質である。
【０００３】
血管内の非活性化された血小板は、丸い形態を維持しながら血管内を循環するが、約１
０日位のライフタイム（life time）を有し、血液の中に２〜４×１０8／ｍＬ位存在する
ことが知られている。
【０００４】
血小板豊富血漿（ＰＲＰ）の内の血小板は、血管内に含まれている物質を通じて活性化
されて、成長因子（growth factor）と多様な活性物質（active substance）を排出する
ようになるが、活性化させる物質には、コラーゲン、トロンビン、アデノシン二リン酸（
adenosine diphosphate：ＡＤＰ）とエピネフリン（epinephrine）がある。特に、コラー
ゲンとトロンビンは強い作動薬（strong agonist）として知られているが、コラーゲンは
、図１に示すように、特異的なシークエンスが血小板を内皮層に付着させて活性化を誘導
することが知られている。
【０００５】
活性因子により血小板が活性化されれば、血小板のアルファ顆粒（alpha granules）の
脱顆粒（degranulation）により成長因子（growth factor）が放出されて初期傷治癒（wo
und healing）に重要な役割をし、この時に、放出される成長因子（growth factor）には
、血小板由来成長因子（platelet derived growth factor：ＰＤＧＦ−ＡＢ）、トランス
フォーミング成長因子（transforming growth factor-b1：ＴＧＦ−ｂ１）、血管内皮成
長因子（vascular endothelial growth factor：ＶＥＧＦ）、 上皮成長因子（epidermal
growth factor：ＥＧＦ）とインシュリン様成長因子（insulin-like growth factor：Ｉ
ＧＦ）等がある。また、血小板豊富血漿（ＰＲＰ）は生体外条件でサイトカインなどを放
出して、繊維芽細胞のＤＮＡを合成し、コラーゲンの生成を増加させて、コラーゲン構造
を組織化するようになる。
【０００６】
しかしながら、液状状態の血小板豊富血漿（ＰＲＰ）の適用の際は、傷内への注入が困
難であり、周辺組織の損失がある。そこで、物理的性質を伴う凝固（clotting）形態のゲ
ル化（gelation）の開発が必要である。このゲル化について、トロンビンを使用する研究
が最近に主に進行した。
しかしながら、動物由来蛋白質であるトロンビン（主に、牛由来）を使用する際に、ルー
プス（lupus）のような免疫反応が観察されたという報告がある。換言すれば、トロンビ
ンは、抗体と関連して臨床的な問題がある要因であることが知られている。トロンビンは
血小板活性体として最も有力な成分である。
しかしながら、トロンビンを用いるときは、トロンビン、プロトロンビン、Ｖ因子（fact
or V）、カルジオリピン（cardiolipin）に対する抗体が要求される。また、動物研究を
通じて手術後の出血や、自己免疫性症候群等の臨床の問題点があることが分かった。この
ような問題点はまれにしか起きないとは言え、開発するに当たって看過できない問題点で
ある。トロンビンの使用は損傷した傷の広がりやゲルの異常な強度などを引き起こすかも
しれない。
【０００７】
また、トロンビン−活性化ゲルは収縮力が高いので、傷空間を詰める施術時には難しさ
がある。ここに、トロンビンの代替物質の重要性が要求される。
【０００８】
コラーゲンは硬い繊維状蛋白質（rigid fibrous protein）で、哺乳類結合組織の主要
蛋白質構成成分であり、全体蛋白質の３０％以上を占める。コラーゲンは、組織における
形態、強度及び柔軟性（shape、strength and flexibility）を提供し、組織スキャフォ
ールド(tissue scaffolding)、細胞付着、細胞移動、血管生成、組織形態形成と組織回復
（tissue repair）などの多様な機能をする。
コラーゲンは、血小板の強い作動薬（strong agonist）で、血小板を活性化させ、血小板
を凝集（platelet aggregation）させ、線維型コラーゲン（fibrillar collagen）は、可
溶性コラーゲン（soluble collagen）より強力に血小板の凝集（platelet aggregation）
を誘導し、血小板付着（platelet adhesion）を維持（supporting）するようにする。こ
のような差異点の原因が明らかになってはいないが、線維型コラーゲン（fibrillar coll
agen）が活性化された血小板の作用を増加させる分子と結合する可能性があると推測され
る。
【０００９】
第１型コラーゲンは、哺乳類の結合組織で最も多い量を占めて、再生医学と組織工学分
野で天然足場（scaffold）として最も多い研究が進行しているコラーゲンであって、第１
型コラーゲンのこのような長所はトロンビンを代えて血小板を活性化させ、形態を維持す
る役割をするようになる。
【００１０】
しかしながら、従来は塩化カルシウム溶液と上記第１型コラーゲンで血小板豊富血漿（
ＰＲＰ：Platelet rich plasma）を活性化して組織再生を誘導する組成物がなかったので
、多くの問題点を内包していたが、他の代案がないので、動物由来蛋白質であるトロンビ
ン（主に、牛由来）のみを使用していた。
【発明の概要】
【発明が解決しようとする課題】
【００１１】
本発明は、上記のような従来技術の諸問題点を解消するために案出したものであって、
血小板豊富血漿（ＰＲＰ）を動物由来蛋白質であるトロンビン（主に、牛由来）と使用す
ることにより生じる免疫反応及び臨床的な問題点を改善するために第１型コラーゲンを使
用しようとすることを第１目的としたものである。
【００１２】
第２目的は、骨欠損治療又は傷治癒（wound healing）のために、全血を少量採取した後
、血小板豊富血漿（ＰＲＰ）を分離して第１型コラーゲンと混合して注入することによっ
て、自己由来の物質である血小板豊富血漿（ＰＲＰ）と免疫反応がほとんどないアテロコ
ラーゲンを使用することによって臨床的に拒否反応が無いようにしたものである。
【００１３】
第３目的は、施術場所で簡便で、かつ速く血小板豊富血漿（ＰＲＰ）を分離して塩化カ
ルシウム溶液と第１型コラーゲンと混合して注入することで、急病患者や反復された再手
術患者に効果的な組織再生をなすようにしたものである。
【００１４】
第４目的は、本発明により採取された血小板豊富血漿（ＰＲＰ）を塩化カルシウム溶液
と第１型コラーゲンと混合して組織再生を目的とする部位に適用すれば、第１型コラーゲ
ンが血小板豊富血漿（ＰＲＰ）を活性化させて血小板豊富血漿（ＰＲＰ）ゲル（gel）か
ら組織再生に有用な成長因子（growth factor）を誘導することで、簡便で、かつ速く組
織再生をなすことに効果的であるようにしたものである。
【００１５】
特に第５目的は、第１型コラーゲンを作動薬にして血小板豊富血漿（ＰＲＰ）と凝固（
clotting）した時に、トロンビンを作動薬にして血小板豊富血漿（ＰＲＰ）と凝固（clot
ting）した時より成長因子（growth factor）によって類似な、又はより多い量の成長因
子を放出することによって、より効果的な組織再生を誘導するようにしたものである。
【００１６】
また、第６目的は、本発明により分離された血小板豊富血漿（ＰＲＰ）を塩化カルシウム
溶液と第１型コラーゲンと混合して骨欠損治療、又は傷治癒（wound healing）が要求さ
れる全ての部位に注入することで、効果的な組織再生を可能にしたものである。
最後に本願発明の第７目的は、結果的に血小板豊富血漿（ＰＲＰ）を病変に適用する方法
の信頼性を大幅に向上させて、患者が満足することができるようにした血小板豊富血漿（
ＰＲＰ）を活性化して組織再生を誘導する組成物及びその製造方法を提供する。
【課題を解決するための手段】
【００１７】
このような目的の達成のために、本発明は全血から、全血基準値より５．８〜７．６倍高
まった血小板豊富血漿（ＰＲＰ：Platelet rich plasma）を分離するステップと、上記血
小板豊富血漿（ＰＲＰ）と塩化カルシウム溶液とを混合して前記血小板豊富血漿を不溶性
に転換するステップと、次に、上記塩化カルシウム溶液が混合された血小板豊富血漿（Ｐ
ＲＰ）を第１型コラーゲンと混合して血小板の凝集を誘導するステップと、を含み、上記
血小板豊富血漿（ＰＲＰ）と塩化カルシウム溶液とを混合するステップは、全血から血小
板豊富血漿（ＰＲＰ）を分離する工程を通じて採取された１ｍＬの血小板豊富血漿（ＰＲ
Ｐ）を分岐コネクタを用いて０．３０〜０．５５ｍｇ／ｍＬ濃度の塩化カルシウム溶液と
１回混合することを特徴とする、血小板豊富血漿（ＰＲＰ）をトロンビンを使用しないで
活性化して組織再生を誘導する組成物の製造方法を提供する。
【００１８】
また、本発明は、上記した製造方法により製造された血小板豊富血漿（ＰＲＰ）を活性
化して組織再生を誘導する組成物を提供する。
【発明の効果】
【００１９】
前述したように、本発明は、血小板豊富血漿（ＰＲＰ）を動物由来蛋白質であるトロン
ビン（主に、牛由来）と使用することにより生じる免疫反応及び臨床的な問題点を改善す
るために第１型コラーゲンを使用したものである。
【００２０】
上記した本発明の技術的構成は、骨欠損治療又は傷治癒（wound healing）のために、全
血を少量採取した後、血小板豊富血漿（ＰＲＰ）を分離して第１型コラーゲンと混合して
注入することによって、自己由来の物質である血小板豊富血漿（ＰＲＰ）と免疫反応が殆
どないアテロコラーゲンを使用することで、臨床的に拒否反応のないようにしたものであ
る。
【００２１】
そして、本発明は施術場所で簡便で、かつ速く血小板豊富血漿（ＰＲＰ）を分離して塩
化カルシウム溶液と第１型コラーゲンと混合して注入することで、急病患者や反復された
再手術患者に効果的な組織再生をなすようにしたものである。
【００２２】
また、本発明により採取された血小板豊富血漿（ＰＲＰ）を塩化カルシウム溶液と第１
型コラーゲンと混合して組織再生を目的とする部位に適用すれば、第１型コラーゲンが血
小板豊富血漿（ＰＲＰ）を活性化させて血小板豊富血漿（ＰＲＰ）ゲル（gel）から組織
再生に有用な成長因子（growth factor）を誘導することで、簡便で、かつ速く組織再生
をなすことに効果的であるようにしたものである。
【００２３】
特に本発明は、第１型コラーゲンを作動薬にして血小板豊富血漿（ＰＲＰ）と凝固（cl
otting）した時に、トロンビンを作動薬にして血小板豊富血漿（ＰＲＰ）と凝固（clotti
ng）した時より成長因子（growth factor）によって類似な、又はより多い量の成長因子
（growth factor）を放出することによって、より効果的な組織再生を誘導するようにし
たものである。
【００２４】
加えて、本発明により分離された血小板豊富血漿（ＰＲＰ）を塩化カルシウム溶液と第１
型コラーゲンと混合して骨欠損治療、又は傷治癒（wound healing）が要求される全ての
部位に注入することで、効果的な組織再生を可能にしたものである。
【００２５】
最後に、本願発明は結果的に、血小板豊富血漿（ＰＲＰ）を病変に適用する方法の信頼
性を大幅向上させて、患者が満足することができるようにした非常に有用な発明である。
【図面の簡単な説明】
【００２６】
【図１】血小板が内皮下蛋白質（Subendothelial proteins）と相互作用（interaction）し、順次に吸着と活性化が起こり、凝集（aggregation）が進行するモデルの説明図である。
【図２】全血から分離した血小板豊富血漿（ＰＲＰ）１ｍＬに、塩化カルシウム溶液と第１型コラーゲンとを混合した図面代用光学写真であって、（ａ）は塩化カルシウム溶液０．２５ｍｇ／ｍＬが含まれた図面代用光学写真であり、（ｂ）は塩化カルシウム溶液０．３ｍｇ／ｍＬが含まれた図面代用光学写真であり、（ｃ）は塩化カルシウム溶液０．５ｍｇ／ｍＬが含まれた図面代用光学写真である。
【図３】従来のトロンビン混合物（Ａ）と本発明の第１型コラーゲン混合物（Ｂ）との培養物の図面代用光学写真である。
【発明を実施するための形態】
【００２７】
以下、このような効果達成のための本発明の好ましい実施形態を添付した図面によって
詳細に説明する。
【００２８】
本発明に適用された血小板豊富血漿（ＰＲＰ）を活性化して組織再生を誘導する組成物
及びその製造方法は、図２、図３に図示されたように構成される。
【００２９】
以下、本発明を説明するに当たって、関連した公知機能又は構成に対する具体的な説明
が本発明の要旨を却って曖昧にする惧れがあると判断される場合には、その詳細な説明は
省略する。
【００３０】
そして、後述する用語は本発明での機能を考慮して設定された用語であって、これは生
産者の意図又は慣例によって変わることがあるので、本明細書の全般に亘る内容に基づい
て定義されるべきである。
【００３１】
まず、本発明は全血から血小板豊富血漿（ＰＲＰ：Platelet rich plasma）を分離する
ステップ、上記血小板豊富血漿（ＰＲＰ）と塩化カルシウム溶液とを混合するステップ、
次に、上記塩化カルシウム溶液が混合された血小板豊富血漿（ＰＲＰ）を第１型コラーゲ
ンと混合するステップを経て血小板豊富血漿（ＰＲＰ）を活性化して組織再生を誘導する
組成物を製造するようにする。
【００３２】
一方、本発明は上記の構成部を適用するに当たって、多様に変形可能であり、多様な形
態を取ることができる。
【００３３】
そして、本発明は上記の詳細な説明で言及する特別な形態に限定されるものでなく、む
しろ添付した請求範囲により定義される本発明の精神と範囲内にある全ての変形物と均等
物及び代替物を含むことと理解されるべきである。
【００３４】
上記のように構成された本発明の血小板豊富血漿（ＰＲＰ）を活性化して組織再生を誘
導する組成物の製造方法の作用効果を説明する。
【００３５】
まず、本発明は全血から血小板豊富血漿（ＰＲＰ：Platelet rich plasma）を分離する
ステップを経る。
【００３６】
この際、上記全血から血小板豊富血漿（ＰＲＰ）を分離するステップは、動物又は患者
から１０ｍｌの全血を３．２％クエン酸ナトリウム（Sodium citrate）が含まれた真空試
験管で採取した後、１，７５０〜１，９００Ｇで、３〜５分間、１次遠心分離するステッ
プを経る。
【００３７】
次に、上記遠心分離により軟膜（Buffy coat）を含んだ上層液（血漿層）を収集するス
テップを経る。
【００３８】
以後、収集された上記軟膜（Buffy coat）を含んだ上層液（血漿層）をブラントニード
ル（Blunt needle）を用いて新たな真空試験管に移した後、４，５００〜５，０００Ｇで
、４〜６分間、２次遠心分離するステップを経る。
【００３９】
次に、底層（試験管の底から約１ｍＬに該当）の濃縮された血小板豊富血漿（ＰＲＰ）
をブラントニードル（Blunt needle）を用いて採取するステップを経る。
【００４０】
また、本発明は上記血小板豊富血漿（ＰＲＰ）と塩化カルシウム溶液とを混合するステ
ップを経る。
【００４１】
この際、上記血小板豊富血漿（ＰＲＰ）と塩化カルシウム溶液とを混合するステップは
、全血から血小板豊富血漿（ＰＲＰ）を分離する工程を通じて採取された約１ｍＬの血小
板豊富血漿（ＰＲＰ）を三方活栓等の分岐コネクタを用いて０．３０〜０．５５ｍｇ／ｍ
Ｌ濃度の塩化カルシウム溶液と１回混合することを特徴とする。
【００４２】
また、本発明は上記塩化カルシウム溶液が混合された血小板豊富血漿（ＰＲＰ）を第１
型コラーゲンと混合するステップを経て、血小板豊富血漿（ＰＲＰ）を活性化して組織再
生を誘導する組成物を製造するようにする。
【００４３】
この際、上記塩化カルシウム溶液が混合された血小板豊富血漿（ＰＲＰ）を第１型コラ
ーゲンと混合するステップは、上記第１型コラーゲンを室温に放置するステップを経る。
【００４４】
以後、塩化カルシウム溶液が混合された血小板豊富血漿（ＰＲＰ）と不透明性状の２０
〜５０ｍｇ／ｍＬ濃度の第１型コラーゲンを分岐コネクタで連結して４回混合するステッ
プを経る。
【００４５】
次に、注射器に充填した血小板豊富血漿（ＰＲＰ）と第１型コラーゲン混合物を骨欠損治
療、又は傷治癒（wound healing）等、組織再生が要求される全ての部位に注入するステ
ップを経る。
【００４６】
そして、上記第１型コラーゲンは２０〜５０ｍｇ／ｍＬの濃度が好ましい。
【００４７】
また、上記室温に、１５〜３０分間放置することが好ましい。
【実施例】
【００４８】
上記した本発明の実施形態を以下に説明すれば、次の通りである。
（実施形態１）
まず、血小板豊富血漿（ＰＲＰ）の分離のための構成キットは、次の通り用意する。
１）３．２％クエン酸ナトリウム（Sodium citrate）が含まれた真空試験管
２）真空試験管ホルダー
３）真空試験管針
４）真空試験管（Plain type）
５）３ｍＬ注射器
６）ブラントニードル（Blunt needle）
【００４９】
上記のように構成された構成物により血小板豊富血漿（ＰＲＰ）の分離方法を実施する
。まず、
１）患者から１０ｍＬの全血を３．２％クエン酸ナトリウム（Sodium citrate）が含まれ
た真空試験管に採取する。
２）真空試験管に盛られた全血を１，７５０〜１，９００Ｇで、３〜５分、遠心分離する
。この際、遠心分離機の重力加速度（Ｇ）と時間は全血を血球細胞、軟膜（Buffy coat）
と血漿に分離できる最適の条件である。
３）真空試験管の蓋を開けた後、ブラントニードル（Blunt needle）を連結した注射器を
用いて軟膜（Buffy coat）を含んだ上層液（血漿層）を採取して新たな真空試験管（Plai
n type）に移す。
４）新たな真空試験管に移された軟膜（Buffy coat）が含まれた血漿を４，５００〜５，
０００Ｇで、４〜６分、遠心分離する。この際、遠心分離機の重力加速度と時間は血漿内
にある血小板豊富血漿（ＰＲＰ）を濃縮させる最適の条件である。
５）真空試験管の蓋を開けた後、ブラントニードル（Blunt needle）を連結した注射器を
用いて試験管の底層（試験管の底から約１ｍＬに該当）の濃縮された血小板豊富血漿（Ｐ
ＲＰ）を採取する。
６）全血１０ｍＬから分離された血小板１ｍＬの分離効率を確認するために、血小板（Pl
atelet）の特異的な表面マーカー（Surface marker）であるＣＤ４１、白血球（Leukocyt
e）の特異的な表面マーカー（Surface marker）であるＣＤ４５を反応させてフローサイ
トメトリー（Flow cytometry）を用いて発現細胞数を測定する。
測定結果は、分離された血小板豊富血漿（ＰＲＰ）の血小板（Platelet）は全血基準値（
Base lines）より５．８〜７．６倍高まった。臨床的に要求される推奨条件では、その数
は、全血６ｍＬ体積当たり基準値の４．０〜６．０倍（約１００万の血小板／ｍＬ）であ
る。よって、血小板豊富血漿（ＰＲＰ）分離方法は、推奨条件を満足する。また、白血球
（Leukocyte）も基準値（Base lines）より２．８〜４．２倍高まった。よって、血小板
豊富血漿（ＰＲＰ）を適用する時に、抗ウイルス効果（antiviral effect）を期待するこ
とができる。
【００５０】
そして、下記の表のように、全血を２段階遠心分離（１段階；１，７５０〜１，９００
Ｇで、３〜５分、２段階；４，５００〜５，０００Ｇで、４〜６分）して、血小板豊富血
漿（ＰＲＰ）１ｍＬを分離した後、血小板（Platelet）の特異的な表面マーカー（Surfac
e marker）であるＣＤ４１、白血球（Leukocyte）の特異的な表面マーカー（Surface mar
ker）であるＣＤ４５を反応させてフローサイトメトリー（Flow cytometry）を用いて発
現細胞数を測定した。測定結果は、分離された血小板豊富血漿（ＰＲＰ）の血小板（Plat
elet）は基準値（Base lines）より５．８〜７．６倍、白血球（Leukocyte）も基準値（B
ase lines）より２．８〜４．２倍高まった。
【００５１】
【表１】
0005550732.tif 000002
【００５２】
（実施形態２）
血小板豊富血漿（ＰＲＰ）、塩化カルシウム溶液、及び第１型コラーゲン混合物の移植
のための構成キットは次の通り用意する。
１）１ｍＬ、３ｍＬ注射器
２）分岐コネクタ(三方活栓Connecta；登録商標）
３）塩化カルシウム溶液
４）２０〜５０ｍｇ／ｍＬの第１型コラーゲン
【００５３】
上記のように構成された構成物により血小板豊富血漿（ＰＲＰ）、塩化カルシウム溶液
、及び第１型コラーゲン混合物と移植方法を実施する。まず、実施形態１により分離した
１）１ｍＬの血小板豊富血漿（ＰＲＰ）が充填された注射器を０．３０〜０．５５ｍｇ／
ｍＬ濃度の塩化カルシウム溶液を充填した注射器と分岐コネクタで連結して１回混合する
。
【００５４】
即ち、図２は全血から分離した血小板豊富血漿（ＰＲＰ）１ｍＬ、塩化カルシウム溶液
、及び第１型コラーゲンとを混合した写真であって、（ａ）は塩化カルシウム溶液０．２
５ｍｇ／ｍＬが含まれた写真であり、（ｂ）は塩化カルシウム溶液０．３ｍｇ／ｍＬが含
まれた写真であり、（ｃ）は塩化カルシウム溶液０．５ｍｇ／ｍＬが含まれた写真であっ
て、本発明は塩化カルシウム溶液と第１型コラーゲン混合物の血小板の凝集（Platelet a
ggregation）のための適正な塩化カルシウム濃度は０．３０〜０．５５ｍｇ／ｍＬが好ま
しい。
【００５５】
そして、塩化カルシウム溶液の成分であるカルシウムイオン（Ｃａ2+）は血液凝固（Bl
ood coagulation）で可溶性（soluble）から不溶性（insoluble）に転換させる役割をす
る。カルシウムイオン（Ｃａ2+）のこのような特徴は分離された血小板豊富血漿（ＰＲＰ
）１ｍＬと第１型コラーゲンの混合物の血小板の凝集（platelet aggregation）を誘導す
るようになる。血小板の凝集（platelet aggregation）のための塩化カルシウム溶液の濃
度は０．２５ｍｇ／ｍＬ以下の場合、血小板の凝集（Platelet aggregation）が形成され
ず、最高０．５５ｍｇ／ｍＬ以上の場合、浸透圧作用により細胞が損傷を受けるようにな
る。
【００５６】
２）２０〜５０ｍｇ／ｍＬ濃度の第１型コラーゲンを室温に１５〜３０分間静置して可溶
性コラーゲンを線維型コラーゲンに変化させる。この際、第１型コラーゲンを室温に静置
する理由は、第１に、第１型コラーゲンを可溶性コラーゲン（soluble collagen）状態か
ら線維型コラーゲン（fibrillar collagen）化させるために温度を高めたものであり、第
２に、本発明の血小板豊富血漿（ＰＲＰ）が第１型コラーゲンの線維型コラーゲン（fibr
illar collagen）混合物と可溶性コラーゲン（soluble collagen）混合物の各成長因子（
growth factor）放出量の差が殆どなかったのであり、第３に、一般的に第１型コラーゲ
ンの線維型コラーゲン（fibrillar collagen）が可溶性コラーゲン（soluble collagen）
より血小板の凝集（platelet aggregation）を誘導し、血小板付着（platelet adhesion
）を維持（supporting）するようにする。
【００５７】
３）１ｍＬの血小板豊富血漿（ＰＲＰ）と塩化カルシウム溶液混合物が盛られた注射器を
同量の２０〜５０ｍｇ／ｍＬ濃度の線維型第１型コラーゲンと分岐コネクタで連結して４
回混合する。
【００５８】
４）注射器に充填された血小板豊富血漿（ＰＲＰ）、塩化カルシウム溶液、及び第１型コ
ラーゲン混合物を骨欠損治療、又は傷治癒（wound healing）等、組織再生が要求される
全ての部位に注入する。
【００５９】
（実施形態３）
実施形態２の４）に代えて、１）注射器に充填された血小板豊富血漿（ＰＲＰ）、塩化カ
ルシウム溶液、及び第１型コラーゲン混合物を底の丸いガラスチューブに込める。
【００６０】
２）３７℃の培養器で１５分間培養して混合物を凝固（clotting）させる。この際、３７
℃の培養器で培養させる理由は、この混合物を組織部位に移植して凝固（clotting）され
るものと同一な環境を作るためである。
【００６１】
３）凝固（clotting）された混合物は滅菌された２４ウェル（well）培養容器に１ｍＬの
ＤＭＥＭを添加して３７℃の培養器で培養する。
【００６２】
上記のような方法により患者から１０ｍＬの全血を採取して２段階の遠心分離により分離
するステップを通じて濃縮された１ｍＬの血小板豊富血漿（ＰＲＰ）を次のステップにお
いて、塩化カルシウム溶液と混合し、さらに次のステップにおいて、第１型コラーゲンと
混合して骨欠損治療、又は傷治癒（wound healing）等、組織再生が要求される全ての部
位に移植できるようにしたものであるので、臨床的には拒否反応がないし、短時間に血小
板豊富血漿（ＰＲＰ）を分離し、第１型コラーゲンと混合して移植することで、効果的で
、かつ速く骨欠損治療及び傷治癒（wound healing）等、組織再生を誘導できるようにな
る。
【００６３】
特に、本発明の図３は、分離された血小板豊富血漿（ＰＲＰ）を各々トロンビン（Thro
mbin）と第１型コラーゲンで活性化させた後、３７℃の、５％ＣＯ2培養器で培養培地を
入れて培養した培養物で、従来のトロンビン混合物（Ａ）は１５日経過後、大部分が分解
（degradation）されたが、本発明のコラーゲン混合物（Ｂ）は１５日まで初期と比較し
て大きさの変化が殆どないまま、形態を維持することが分かる。
【産業上の利用可能性】
【００６４】
本発明は、血小板豊富血漿（ＰＲＰ）を活性化して組織再生を誘導する組成物及びその
製造方法の技術的手段は、実際に同一結果を反復実施可能なものであって、特にこのよう
な本願発明を実施することによって、技術発展を促進して産業発展に貢献することができ
るので、保護する価値が十分にある。
【図１】
0005550732.tif 000003
【図２】
0005550732.tif 000004
【図３】
0005550732.tif 000005